(57)【特許請求の範囲】
【請求項１】
付勢部材と、
前記付勢部材の付勢力により外部装置を挟んで保持可能な第１及び第２挟持部と、
前記第１及び第２挟持部に挟まれた前記外部装置を前記第２挟持部との間で挟んで前記外部装置に電力を供給し、前記第２挟持部に向かう付勢力を有した端子部と、を備え、
前記第１挟持部は、前記端子部を収納し、前記端子部が突出可能な開口部を有し、
前記開口部は、前記第１及び第２挟持部が前記外部装置を挟んでいない状態では、前記第２挟持部により覆われる、充電装置。
【請求項２】
前記第１挟持部は、前記外部装置の端子部に接触する前記端子部の接点部を視認可能に透過する透過部を含む、請求項１の充電装置。
【請求項３】
前記第１挟持部は、前記外部装置の端子に接触可能な前記端子部の接点部の位置を示す指標部を含む、請求項１の充電装置。
【請求項４】
前記第２挟持部は、前記第１及び第２挟持部が前記外部装置を挟んでいない状態において、前記端子部が前記開口部から突出しないように前記端子部を前記第１挟持部内に押し込む押圧部を含む、請求項１乃至３の何れかの充電装置。
【請求項５】
前記第１挟持部は、前記押圧部の挿入を許容する逃げ孔を有し、
前記押圧部は、前記第１及び第２挟持部が前記外部装置を挟んでいない状態において、前記逃げ孔を塞ぐように挿入される、請求項４の充電装置。
【発明の詳細な説明】
【技術分野】
【０００１】
本発明は、充電装置に関する。
【背景技術】
【０００２】
充電対象となる外部装置を保持して外部装置に電力を供給する充電装置が知られている。特許文献１〜４には、このような充電装置が開示されている。
【先行技術文献】
【特許文献】
【０００３】
【特許文献１】特開２００７−１９５２９６号公報
【特許文献２】実用新案登録第３１４７８７０号公報
【特許文献３】特開２００４−２７４８３９号公報
【特許文献４】特開２００５−１１７８２５号公報
【発明の概要】
【発明が解決しようとする課題】
【０００４】
外部装置を保持する力が弱いと、充電装置から外部装置が離脱して適切に充電できないおそれがある。
【０００５】
本発明は、充電対象である外部装置の離脱が防止された充電装置を提供することを目的とする。
【課題を解決するための手段】
【０００６】
本明細書に開示の充電装置は、付勢部材と、前記付勢部材の付勢力により外部装置を挟んで保持可能な第１及び第２挟持部と、前記第１及び第２挟持部に挟まれた前記外部装置を前記第２挟持部との間で挟んで前記外部装置に電力を供給し、前記第２挟持部に向かう付勢力を有した端子部と、を備えている。
【発明の効果】
【０００７】
充電対象である外部装置の離脱が防止された充電装置を提供できる。
【図面の簡単な説明】
【０００８】
【図１】図１は、本実施例の携帯充電装置について説明図。
【図２】図２は、本実施例の携帯充電装置について説明図。
【図３】図３は、本実施例の携帯充電装置について説明図。
【図４】図４Ａ、４Ｂは、携帯充電装置の内部構造の説明図。
【図５】図５Ａ〜５Ｃは、携帯電話の外観図。
【図６】図６は、携帯電話を挟持する携帯充電装置の説明図。
【図７】図７Ａは、携帯充電装置の底面図、図７Ｂは、変形例の携帯充電装置の底面図である。
【発明を実施するための形態】
【０００９】
充電装置の一例として、携帯可能な携帯充電装置について説明する。尚、充電装置は、携帯可能なものに限定されない。
図１〜３は、本実施例の携帯充電装置１について説明図である。
図１は、携帯充電装置１の斜視図である。図２は、携帯充電装置１の側面図である。図３は、携帯充電装置１の背面図である。携帯充電装置１は、挟持部１０、挟持部１０に連結された挟持部２０、付勢部材３０、挟持部１０の基端側に設けられたコネクタ４０、を含む。
【００１０】
挟持部１０は、半ケース１０ａ、１０ｂを含む。半ケース１０ａ、１０ｂは例えば合成樹脂製である。半ケース１０ａ、１０ｂが固定されて単一の筐体として機能している。挟持部１０の上面の先端側には、２つの緩衝部材１８が貼り付けられている。また、挟持部１０の上面には、詳しくは後述するが２つの開口部１７が設けられている。
【００１１】
挟持部２０は、例えば合成樹脂製である。先端部２２の挟持部１０と対向する側には緩衝部材２８が設けられている。緩衝部材１８、２８は、例えばスポンジ等の発砲体であってもよいし、ゴムなどの弾性部材であってもよいし、布などの繊維であってもよい。緩衝部材１８、２８は、挟持部１０、２０よりも摩擦係数が大きいものであればよい。緩衝部材１８、２８は、充電対象である外部装置に傷がつくことを防止すると共に、外部装置のすべり止めとしても機能する。
【００１２】
挟持部２０の両側にはそれぞれ側壁部２３が形成されている。側壁部２３の内側には、図３に示すように、軸部２４が形成されている。軸部２４は、挟持部１０の支持壁１３に回転可能に支持されている。これにより、挟持部２０は、挟持部１０に対して揺動可能に連結されている。
【００１３】
軸部２４には、付勢部材３０の巻回部３１が巻かれている。付勢部材３０は、巻回部３１、巻回部３１に連続した直状の一端３２、他端３３を含む。付勢部材３０の一端３２は、挟持部２０の裏面側を押圧している。付勢部材３０の他端３３は、挟持部１０の正面側を押圧している。付勢部材３０の付勢力により、挟持部２０は、図１、２に示すように、先端部２２が挟持部１０に接近し基端部２１が挟持部１０から離れるように付勢されている。図１〜３に示した携帯充電装置１の状態を閉状態と称する。閉状態は、携帯充電装置１が後述する外部装置挟んでいない状態である。付勢部材３０の付勢力に抗して基端部２１を挟持部１０に向けて押すことにより、挟持部２０は、軸部２４を支点として揺動して先端部２２は挟持部１０から離れる。この状態を開状態と称する。挟持部２０の先端部２２と挟持部１０との間に後述する外部装置を置くことにより、外部装置は、挟持部１０、２０に挟まれる。即ち、外部装置は、付勢部材３０の付勢力により挟持部１０、２０に挟まれる。
【００１４】
図３に示すように、挟持部１０の基端側にはコネクタ４０が設けられている。コネクタ４０には、ＡＣアダプタのプラグが接続可能である。
【００１５】
携帯充電装置１の内部構造について説明する。
図４Ａ、４Ｂは、携帯充電装置１の内部構造の説明図である。図４Ａは、閉状態の携帯充電装置１を示しており、図４Ｂは、開状態の携帯充電装置１を示している。挟持部１０内には、外部装置に電力を供給するための端子部５０が収納されている。端子部５０は、弾性変形可能である。端子部５０は、直線状部５１、コイル部５３、基端部５５、接点部５７を含む。コイル部５３は、端子部５０自身に付勢力を持たせる機能を有している。基端部５５は、コネクタ４０に導通接続されている。接点部５７は、直線状部５１から挟持部２０側に突出した形状である。端子部５０は、接点部５７が挟持部２０に向かう方向Ｄ１に向かう付勢力を有している。
【００１６】
図４Ａに示すように、挟持部２０は、直線状部５１を押圧する押圧部２６を有している。押圧部２６は、挟持部１０に形成された逃げ孔１６に挿入され、直線状部５１を押圧している。これにより、接点部５７が開口部１７から突出しないように端子部５０は押圧される。付勢部材３０の付勢力は、端子部５０の付勢力よりも大きい。押圧部２６が端子部５０から離れると、コイル部５３を支点として直線状部５１、接点部５７は、時計方向、即ち方向Ｄ１に移動する。
【００１７】
図４Ｂに示すように、開状態では、押圧部２６は逃げ孔１６から脱して直線状部５１から離れる。端子部５０は、端子部５０自身の付勢力により接点部５７が開口部１７から突出する。
【００１８】
携帯充電装置１によって充電される外部装置について説明する。
外部装置の一例として携帯電話を例に説明する。図５Ａ〜５Ｃは、携帯電話１００の外観図である。携帯電話１００は、筐体１１０、１２０、筐体１１０、１２０とを開閉可能に連結したヒンジ部１０５、を含む。図５Ｃに示すように、筐体１２０の背面側にはカメラ部１２２が形成されている。また、筐体１２０の背面側の縁部付近には端子部１２７が形成されている。筐体１１０には、不図示のディスプレイが設けられている。筐体１２０には不図示の操作キーが設けられている。本実施例の携帯充電装置１は、携帯電話１００の端子部１２７を覆う程度の大きさであり、携帯電話１００に比べて小型化されている。携帯時の利便性を考慮して携帯充電装置１は小型化されている。
【００１９】
携帯電話１００を挟持する携帯充電装置１について説明する。
図６に示すように、携帯電話１００は、挟持部１０、２０との間に挟まれ、端子部５０の接点部５７は携帯電話１００の端子部１２７に当接している。挟持部１０、２０は、携帯電話１００を挟んで保持している。
【００２０】
端子部５０は、自身の付勢力により携帯電話１００を挟持部２０側に押圧する。端子部５０は、挟持部１０、２０に挟まれた携帯電話１００を、挟持部２０との間で挟んでいる。端子部５０の付勢力の方向Ｄ１は、挟持部２０に向いており、挟持部２０が付勢される方向Ｄ２と向かい合っている。
【００２１】
このように、端子部５０の付勢力の方向Ｄ１は、挟持部２０に向かっている。従って、端子部５０の付勢力が携帯電話１００を挟む力に貢献している。これにより、携帯電話１００を挟む力が増大し、携帯電話１００が携帯充電装置から離脱することを防止できる。このように、端子部５０の付勢力は、携帯電話１００の端子部１２７と接点部５７との導通を確保するのみならず、携帯電話１００を保持することにも貢献している。
【００２２】
図４Ａに示したように、閉状態では、開口部１７は挟持部２０の先端部２２によって覆われる。これにより、何らかの部材が開口部１７内に侵入することが防止される。例えば、カバン等に何らかの部材と共に携帯充電装置１を入れて携帯した場合、何らかの部材が開口部１７に侵入して、端子部５０が破損又はショートするおそれがある。しかしながら、閉状態で開口部１７が挟持部２０によって覆われることにより、何らかの部材が開口部１７に侵入することが防止されている。
【００２３】
閉状態では、押圧部２６は、逃げ孔１６を塞ぐように挿入される。このため、例えば携帯充電装置１を携帯した時に何らかの部材が逃げ孔１６に侵入することが防止されている。
【００２４】
閉状態では、開口部１７から接点部５７が突出しないように押圧部２６は端子部５０を押圧している。これによって、例えば携帯充電装置１を携帯した時に接点部５７が何らかの部材に接触して破損又はショートすることが防止される。
【００２５】
このように、閉状態では、開口部１７は挟持部２０に覆われ、逃げ孔１６には押圧部２６が挿入され、接点部５７は開口部１７から突出しない。これにより、携帯充電装置１を携帯する事により起こり得る問題の発生を防止している。このように携帯充電装置１は携帯性に優れている。
【００２６】
図７Ａは、携帯充電装置１の底面図である。半ケース１０ａは、光透過性を有した合成樹脂製である。従って、挟持部１０の底面から端子部５０の接点部５７の位置を視認できる。これにより、接点部５７の位置を、携帯電話１００の端子部１２７の位置に合わせることが容易となる。尚、図７Ａにおいては、挟持部１０内に収納されている端子部５０の一部のみを示しており、その他のコネクタ４０などについては省略してある。
【００２７】
図７Ｂは、変形例の携帯充電装置の底面図である。携帯充電装置１Ａの挟持部１０Ａの半ケース１０ａ１は、光透過性を有していない。従って、半ケース１０ａ１内に収納されている端子部５０の接点部５７の位置を視認できない。しかしながら、半ケース１０ａ１の底面には、接点部５７の位置を示すための指標部１９が形成されている。指標部１９は直線状である。指標部１９は、端子部５０の接点部５７と重なるように形成されている。指標部１９を指標として利用することにより、接点部５７の位置を携帯電話１００の端子部１２７の位置に合わせることが容易となる。尚、指標部１９の形状は、このような線状でなくてもよく、接点部５７の位置の指標となればどのような形状であってもよい。例えば、指標部１９は、凸状又は凹状であってもよい。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２９】
本実施例の携帯充電装置が充電する外部装置は、携帯可能な電子装置であってもよいし、据え置き型の電子装置であってもよい。携帯可能な電子装置として、例えば、電子手帳、ＰＤＡ（Ｐｅｒｓｏｎａｌ Ｄｉｇｉｔａｌ Ａｓｓｉｓｔａｎｔｓ）、電卓、時計、ＧＰＳ（Ｇｌｏｂａｌ Ｐｏｓｉｔｉｏｎｉｎｇ Ｓｙｓｔｅｍ：全地球位置情報システム）、ノート型パーソナルコンピュータがある。
【００３０】
尚、上記実施例で説明した携帯電話１００は開閉式であるが、スライド式のものであってもよい。
【符号の説明】
【００３１】
１０、２０  挟持部
１０ａ、１０ｂ  半ケース
１６  逃げ孔
１７  開口部
１８  緩衝部材
１９  指標部
２１  基端部
２４  軸部
２６  押圧部
３０  付勢部材
４０  コネクタ
５０  端子部
５１  直線状部
５３  コイル部
５５  基端部
５７  接点部
【図１】
0005546906.tif 000002
【図２】
0005546906.tif 000003
【図３】
0005546906.tif 000004
【図４】
0005546906.tif 000005
【図５】
0005546906.tif 000006
【図６】
0005546906.tif 000007
【図７】
0005546906.tif 000008